(57)【要約】  建築物の室内空間を区画するインテリア用組み立て式壁体であって、天井と床面に対向して設置されるランナーと、前記ランナーの幅方向の両側に垂直方向に設置固定される複数のスタッドと、前記複数のスタッドに結合される仕上げパネルと、を含み、前記複数のスタッドには、それぞれに長手方向に平行に延長されて形成される一対の結合溝が備えられ、前記仕上げパネルには、内側面の左右側の両端部に垂直方向に延長されるように結合固定される一対の弾性結合部材が備えられ、前記仕上げパネルは、前記弾性結合部材を前記結合溝に挿入して結合させることにより、前記複数のスタッドの前面部に設置される構成を備えることにより、ネジの使用を最小化して壁体の設置・解除及び再組み立てが容易であり、設置や解除作業を少数の人員が一度にでき、人件費が低減され、工期を短縮させることができるようになる。【選択図】  図９
2019518890.tif 000002
【特許請求の範囲】
【請求項１】
建築物の室内空間を区画する組み立て式壁体であって、
天井と床面に対向して設置されるランナーと、
前記ランナーの幅方向の両側に垂直方向に設置固定される複数のスタッドと、
前記複数のスタッドに結合される仕上げパネルと、を含み、
前記複数のスタッドには、それぞれに長手方向に平行に延長されて形成される一対の結合溝が備えられ、
前記仕上げパネルには、内側面の左右側の両端部に垂直方向に延長されるように結合固定される一対の弾性結合部材が備えられ、
前記一対の結合溝のそれぞれの左側内面と右側内面には、一つ以上の係止顎が長手方向に延長されるように形成され、
前記一対の弾性結合部材のそれぞれは、
前記仕上げパネルの内側面に密着される接触部と、
前記接触部から内側方向に突出されて長手方向に延長されるように形成される突出部と、を含み、
前記突出部には、中央部に長手方向に凹むように形成される分離溝が形成されて、前記分離溝の左右側に左側結合片と右側結合片とが形成され、
前記左側結合片の左側面と前記右側結合片の右側面には、前記一つ以上の係止顎に係止されるように一つ以上の結合突起が長手方向に延長されるように形成され、
前記一対の弾性結合部材のそれぞれは、
前記仕上げパネルの側面部を囲むように、前記接触部の一側端部から折り曲がって長手方向に延長されるように形成されるパネル側部仕上げ羽根部と、をさらに含み、
前記仕上げパネルは、前記弾性結合部材の前記突出部を前記結合溝に挿入して結合させることにより、前記複数のスタッドの前面部に設置されることを特徴とする、インテリア用組み立て式壁体。
【請求項２】
前記分離溝に挿入されて、前記左側結合片と前記右側結合片の復元力の低下を防止するように「Ｕ」形状の端面で長手方向に延長されるように形成される弾性片と、をさらに含み、
前記一対の弾性結合部材のそれぞれは、
前記弾性片が、前記分離溝に挿入された状態で前記一対の弾性結合部材とともに、前記仕上げパネル内側面の左右側の両端部に垂直方向に延長されるように結合されることにより、前記仕上げパネルに固定されることを特徴とする、請求項１に記載のインテリア用組み立て式壁体。
【請求項３】
前記仕上げパネルの間に圧着されるように設置されて、互いに隣接した前記仕上げパネルの間を防いで仕上げするガッパーと、をさらに含み、
前記ガッパーは、
一対のパネル側部圧着片と、
中央連結部と、を含むことを特徴とする、請求項１又は２に記載のインテリア用組み立て式壁体。
【請求項４】
天井又は床面から前記仕上げパネルが設置された位置までの部位を閉塞する巾木受けと、
前記巾木受けの一端部と天井又は床面との間をカバーするモールディング部材と、をさらに含み、
前記ランナーは、
天井又は床面に密着されるベース部と、
前記ベース部の一側面の中央部に突出されて、長手方向に延長されるように形成される装着フレーム部と、
前記ベース部の幅方向の両端部に、長手方向に延長されるように形成される巾木受け結合溝と、を含み、
前記巾木受けは、
天井又は床面に隣接した方向の端部から内側に折り曲がって長手方向に延長されるように形成されるランナー結合片と、
天井又は床面に隣接した方向の端部に長手方向に延長されるように形成されるモールディング結合溝と、をさらに含み、
前記モールディング部材は、
前記モールディング結合溝に挿入されて結合されるように、長手方向に延長されるように形成される巾木受け結合部と、
幅方向の一側は、前記巾木受けの一端部に接触し、他側は天井又は床面に接触するように傾斜して形成される角仕上げ部と、を含み、
前記複数のスタッドは、長手方向端部の背面が前記装着フレーム部の幅方向の両側面にそれぞれ密着されて結合固定され、
前記巾木受けは、前記ランナー結合片を前記巾木受け結合溝に挿入して結合させることにより、前記ランナーの幅方向の両側に設置され、
前記モールディング部材は、前記巾木受け結合部を前記モールディング結合溝に挿入して結合させることにより、前記巾木受けに設置されることを特徴とする、請求項１に記載のインテリア用組み立て式壁体。
【請求項５】
前記複数のスタットに結合された前記仕上げパネルが成す壁体が、互いに隣接して角を構成するようにするコラム組み立て体と、をさらに含み、
前記コラム組み立て体は、
前記壁体が構成する角の内側において、前記仕上げパネルの一側に結合される第１コラム部材と、
前記壁体が構成する角の外側エッジ（ｅｄｇｅ）を成すエッジコラム部材と、
幅方向の一側には、前記仕上げパネルに結合固定された弾性結合部材が挿入されて結合されるように、長手方向に延長されて形成される第２結合溝が備えられ、他側は前記エッジコラム部材の幅方向の一側に結合される第２コラム部材と、を含めて構成され、
前記第１コラム部材は、
角の内側エッジの両側に前記仕上げパネルの一側に係止されるように長手方向に延長されて形成される第１係止顎と、
前記仕上げパネルに結合固定された弾性結合部材が挿入されて結合されるように、前記第１係止顎の外側に長手方向に延長されて形成される第１結合と、を含み、
前記第２コラム部材は、
前記仕上げパネルの一側が係止されるように、前記第２結合溝の一側に長手方向に延長されて形成される第２係止顎と、をさらに含み、
前記エッジコラム部材と前記第２コラム部材は、前記第２コラム部材の幅方向の他側に形成された結合片が、前記エッジコラム部材の幅方向の一側に形成された結合溝に挿入されて結合されることを特徴とする、請求項１に記載のインテリア用組み立て式壁体。
【請求項６】
前記複数のスタッドに結合された前記仕上げパネルが成す壁体が、互いに交差されるようにするコラム組み立て体と、をさらに含み、
前記コラム組み立て体は、
前記壁体が構成する角の内側において、前記仕上げパネルの一側に結合される第１コラム部材と、
幅方向の一側に、前記仕上げパネルに結合固定された弾性結合部材が挿入されて結合されるように、長手方向に延長されて形成される第２結合溝が備えられる第２コラム部材中の少なくとも一つ以上が結合されて構成され、
前記第１コラム部材は、
角の内側エッジの両側に、前記仕上げパネルの一側が係止されるように長手方向に延長されて形成される第１係止顎と、
前記仕上げパネルに結合固定された弾性結合部材が挿入されて結合されるように、前記第１係止顎の外側に長手方向に延長されて形成される第１結合溝とを含み、
前記第２コラム部材は、
前記仕上げパネルの一側が係止されるように、前記第２結合溝の一側に長手方向に延長されて形成される第２係止顎と、をさらに含み、
前記第２コラム部材が使用される場合、前記第２コラム部材の幅方向の他側に形成された結合片が、他の前記第２コラム部材の幅方向の他側に形成された結合溝に挿入されて結合されることを特徴とする、請求項１に記載のインテリア用組み立て式壁体。
【請求項７】
（ａ）ランナーを天井又は床面に対向されるように配設して固定させるステップと、
（ｂ）複数のスタッドのそれぞれの長手方向端部の背面を前記ランナーの装着フレーム部の幅方向の側面に密着させた後、垂直方向に固定させるステップと、
（ｃ）巾木受けのランナー結合片を前記ランナーの巾木受け結合溝に挿入させて、モールディング部材の巾木受け結合部が前記巾木受けのモールディング結合溝に挿入されて、前記モールディング部材と結合された前記巾木受けを前記ランナーの幅方向の両側に結合させるステップと、
（ｄ）弾性結合部材の突出部を前記スタッドの結合溝に挿入させて、内側面の左右側の両端部に前記弾性結合部材が垂直方向に延長されるように結合固定された仕上げパネルを前記複数のスタッドの前面部に設置するステップと、
（ｅ）前記仕上げパネルの開口部に、ＴＶ，コンピュータ、平板表示装置、冷暖房器、加湿器、空気清浄機のような家電製品や電気コンセントを設置するステップと、
（ｆ）前記ランナー中央部の装着フレーム部の上面部に形成された貫通孔を介して、絶縁電線を前記装着フレーム部の幅方向の両側面に固定される前記スタッドの背面間の空間と、前記装着フレーム部の内部空間とへ通過させて電力供給のために、前記家電製品又は前記コンセントに電気的に接続させるステップと、を含み、
前記（ｄ）ステップは、
（ｄ１）前記仕上げパネルの間の上端部及び下端部において、前記弾性結合部材のパネル側部仕上げ羽根部によって仕上げされない部分にガッパーを圧着されるように設置して、前記仕上げパネルの間の隙間を埋めて仕上げするステップと、をさらに含むことを特徴とする、インテリア用組み立て式壁体の施工方法。
【請求項８】
（ｇ）前記複数のスタッドに結合された前記仕上げパネルが成す壁体の側端部をコラム組み立て体の一側に結合させて、前記壁体が互いに隣接して角を成すか、又は互いに交差されるようにするステップと、をさらに含むことを特徴とする、請求項７に記載のインテリア用組み立て式壁体の施工方法。
【請求項９】
（ｇ）前記複数のスタッドに結合された前記仕上げパネルが成す壁体の側端部にエンドコラム部材を結合させて、前記壁体の側端部を仕上げするステップと、をさらに含むことを特徴とする、請求項７に記載のインテリア用組み立て式壁体の施工方法。
【発明の詳細な説明】
【技術分野】
【０００１】
本発明は、インテリア用組み立て式壁体及びその施工方法に関し、より詳細には、天井と床面に対向して設置されるランナーの間に複数のスタッドを垂直方向に設置固定し、仕上げパネルの内側面に備えられる弾性結合部材をスタッドに備えられる結合溝に挿入して結合させることにより、ネジの使用を最小化して壁体の設置・解除及び再組立てが容易であり、設置や解除作業を小数の人員が一度にでき、人件費が低減され、工期が短縮されるインタリア用組み立て式壁体及びその施工方法に関する。
【背景技術】
【０００２】
一般に、各種建築物の室内空間の区画は、固定式壁体又は組み立て式壁体からなる。最近には、様々な工程に代わって、複数の板材を制作して組み立てる組み立て式壁体が多く施工されている傾向にある。しかしながら、既存の組み立て式壁体は、資材の組み立てにのみ主眼をおき解除はなおざりにして、一応施工された壁体の移転設置及び資材の再使用が難しい実情である。
【０００３】
このような既存の組み立て式壁体は、スタッド、ランナー、モールディング、固定部材、仕上げ部材など、多くの部材で施工して施工人力を多く必要とする。しかも、施工現場の環境に応じて変形が不可であり、電気配線、冷房施設などにより注文制作しなければならない状況である。なお、施工作業が複雑に行われ、施工期間が長くて組み立て式壁体の維持・保守が容易でない短所がある。
【０００４】
このような組み立て式壁体に対する技術の一例として、下記の特許文献１においては、「組み立て式軽量壁体パネルとその組み立て構造」が提案されたことがあり、下記の特許文献２においては、「着脱式乾式壁体」が提案されたことがあり、本出願人も下記の特許文献３における「着脱式壁体フレーム組み立て体及びその施工方法」を提案したことがある。
【先行技術文献】
【特許文献】
【０００５】
【特許文献１】大韓民国登録特許公報第10‐0695700号(公告日：2007年３月15日)
【特許文献２】大韓民国登録特許公報第10‐0838961号(公告日：2008年６月16日)
【特許文献３】大韓民国登録特許公報第10‐1529009号(公告日：2015年６月15日)
【発明の概要】
【発明が解決しようとする課題】
【０００６】
特許文献１は、遮音と断熱性能が高く、パネル間の結合を成すスタッドにも遮音性能と耐火性能を生かし、相互間の結合構造が簡単であるので、施工が便利であるだけでなく、組み立ての堅牢性も備えた組み立て式軽量壁体のパネルとその組み立て構造を提案したが、これは、複雑なパネル自体の構造とともに、両端に凹凸部を装着して相互に連続的に結束させるためのものに過ぎないだけであり、全面ガラスやその他のブロックウォール（ｂｌｏｃｌｗａｌｌ）施工などにはまったく適用できない短所があった。
【０００７】
特許文献２は、天井と床に固定棒を羅合した後、固定棒にモジュール化された壁体をスライディングさせて結合することにより、天井と床の破損を最小化しながら壁体を簡単且つ迅速に設置及び解体できるようにして、乾式壁体の維持及び保守性を向上させることができるようにした着脱式乾式壁体を提案したが、壁体を構成するための固定スタッドの構成が複雑で、ばねなどの弾性体及び別途の支持板を組み立てる必要があるため、施工過程が難解に行われることは勿論、付属資材の追加制作による価格の上昇をもたらす短所があった。
【０００８】
特許文献３は、着脱式壁体フレーム組み立て体の設置で内部壁体をネジのような別の結合要素が必要とせず、各構成フレームの側面又は先端に構成された凹凸形式の挿入突起及び突起挿入溝により、その組み立てと分解が可能にするフレーム組み立て体及びその施工方法を提案し、組み立てられたフレームの縁には、組み立てられたフレーム間の結合力を高めるとともに、工事の痕跡を隠され、装飾の機能を有したモールディングが結合されているが、フレームの数が多くて、組み立て過程が複雑な短所があった。
【０００９】
本発明の目的は、上記したような問題点を解決するものであって、天井と床面に対向して設置されるランナーの間に複数のスタッドを垂直方向に設置固定し、仕上げパネルの内側面に備えられる弾性結合部材をスタッドに備えられる結合溝に結合させることによって、ネジの使用を最小化して壁体の設置・解除及び再組立てが容易であり、設置や解除の作業を小数の人員が一度にでき、人件費が低減され、工期が短縮されるインテリア用組み立て式壁体及びその施工方法を提供することにある。
【課題を解決するための手段】
【００１０】
上記したような課題を解決するための本発明は、建築物の室内空間を区画するインテリア用組み立て式壁体であって、建築物の室内空間を区画する組み立て式壁体として、天井と床面に対向して設置されるランナーと、前記ランナーの幅方向の両側に垂直方向に設置固定される複数のスタッドと、前記複数のスタッドに結合される仕上げパネルと、を含み、前記複数のスタッドには、それぞれに長手方向に平行に延長されて形成される一対の結合溝が備えられ、前記仕上げパネルには、内側面の左右側の両端部に垂直方向に延長されるように結合固定される一対の弾性結合部材が備えられ、前記一対の結合溝それぞれの左側内面と右側内面には、一つ以上の係止顎が長手方向に延長されるように形成され、前記一対の弾性結合部材のそれぞれは、前記仕上げパネルの内側面に密着される接触部と、前記接触部から内側方向に突出されて、長手方向に延長されるように形成される突出部と、を含み、前記突出部には、中央部に長手方向に凹むように形成される分離溝が形成されて前記分離溝の左右側に左側結合片と右側結合片が形成され、前記左側結合片の左側面と前記右側結合片の右側面には、前記一つ以上の係止顎に係止されるように一つ以上の結合突起が長手方向に延長されるように形成され、前記一対の弾性結合部材のそれぞれは、前記仕上げパネルの側面部を囲むように前記接触部の一側端部から折り曲がって、長手方向に延長されるように形成されるパネル側部の仕上げ羽根部と、をさらに含み、前記仕上げパネルは、前記弾性結合部材の前記突出部を前記結合溝に挿入して結合させることにより、前記複数のスタッドの前面部に設置されることを特徴とする。
【００１１】
ここで、前記分離溝に挿入されて、前記左側結合片と右側結合片の復元力の低下を防止するように、「Ｕ」形状の端面で長手方向に延長されるように形成される弾性片と、をさらに含み、前記一対の弾性結合部材のそれぞれは、前記弾性片が、前記分離溝に挿入された状態で前記一対の弾性結合部材とともに、前記仕上げパネルの内側面の左右側の両端部に垂直方向に延長されるように結合されることにより、前記仕上げパネルに固定されることを特徴とすることができる。
【００１２】
ここで、前記仕上げパネルの間に圧着されるように設置されて、互いに隣接した前記仕上げパネルの間を防いで仕上げるガッパー（ｇａｐｐｅｒ）と、をさらに含み、前記ガッパーは、一対のパネル側部圧着片と、中央連結部と、を含むことを特徴とすることができる。
【００１３】
ここで、天井又は床面から前記仕上げパネルが設置された位置までの部位を閉塞する巾木受けと、前記巾木受けの一端部と天井又は床面との間をカバーするモールディング部材と、をさらに含み、前記ランナーは、天井又は床面に密着されるベース部と、前記ベース部の一側面中央部に突出されて長手方向に延長されるように形成される装着フレーム部と、前記ベース部の幅方向の両端部に長手方向に延長されるように形成される巾木受け結合溝と、を含み、前記巾木受けは、天井又は床面に隣接した方向の端部から内側に折り曲がって長手方向に延長されるように形成されるランナー結合片と、天井又は床面に隣接した方向の端部に長手方向に延長されるように形成されるモールディング結合溝と、をさらに含み、前記モールディング部材は、前記モールディング結合溝に挿入されて結合されるように、長手方向に延長されるように形成される巾木受け結合部と、幅方向の一側は前記巾木受けの一端部に接触し、他側は天井又は床面に接触するように傾斜して形成される角仕上げ部と、を含み、前記複数のスタッドは、長手方向端部の背面が前記装着フレーム部の幅方向の両側面にそれぞれ密着されて結合固定され、前記巾木受けは、前記ランナー結合片を前記巾木受け結合溝に挿入して結合させることにより、前記ランナーの幅方向の両側に設置され、前記モールディング部材は、前記巾木受け結合部を前記モールディング結合溝に挿入して結合させることにより、前記巾木受けに設置されることを特徴とすることができる。
【００１４】
ここで、前記複数のスタッドに結合された前記仕上げパネルが成す壁体が、互いに隣接して角を構成するようにするコラム組み立て体と、をさらに含み、前記コラム組み立て体は、前記壁体が構成する角の内側において前記仕上げパネルの一側に結合される第１コラム部材と、前記壁体が構成する角の外側エッジ（ｅｄｇｅ）を成すエッジコラム部材と、幅方向の一側には、前記仕上げパネルに結合固定された弾性結合部材が挿入されて結合されるように長手方向に延長されて形成される第２結合溝が備えられ、他側は、前記エッジコラム部材の幅方向の一側に結合される第２コラム部材と、を含めて構成され、前記第１コラム部材は、角の内側エッジの両側に前記仕上げパネルの一側が係止されるように長手方向に延長されて形成される第１係止顎と、前記仕上げパネルに結合固定された弾性結合部材が挿入されて結合されるように、前記第１係止顎の外側に長手方向に延長されて形成される第１結合溝と、を含み、前記第２コラム部材は、前記仕上げパネルの一側が係止されるように前記第２結合溝の一側に長手方向に延長されて形成される第２係止顎と、をさらに含み、前記エッジコラム部材と前記第２コラム部材は、前記第２コラム部材の幅方向の他側に形成された結合片が、前記エッジコラム部材の幅方向の一側に形成された結合溝に挿入されて結合されることを特徴とすることができる。
【００１５】
ここで、前記複数のスタッドに結合された前記仕上げパネルが成す壁体が、互いに交差されるようにするコラム組み立て体と、をさらに含み、前記コラム組み立て体は、前記壁体が構成する角の内側において前記仕上げパネルの一側に結合される第１コラム部材と、幅方向の一側に前記仕上げパネルに結合固定された弾性結合部材が挿入されて結合されるように、長手方向に延長されて形成される第２結合溝が備えられる第２コラム部材中の少なくとも一つ以上が結合されて構成され、前記第１コラム部材は、角の内側エッジの両側に前記仕上げパネルの一側が係止されるように長手方向に延長されて形成される第１係止顎と、前記仕上げパネルに結合固定された弾性結合部材が挿入されて結合されるように、前記第１係止顎の外側に長手方向に延長されて形成される第１結合と、を含み、前記第２コラム部材は、前記仕上げパネルの一側が係止されるように前記第２結合溝の一側に長手方向に延長されて形成される第２係止顎と、をさらに含み、前記第２コラム部材が使用される場合、前記第２コラム部材の幅方向の他側に形成された結合片が、他の前記第２コラム部材の幅方向の他側に形成された結合溝に挿入されて結合されることを特徴とすることができる。
【００１６】
なお、本発明は、インテリア用組み立て式壁体の施工方法であって、（ａ）ランナーを天井又は床面に対向されるように配設して固定させるステップと、（ｂ）複数のスタッドのそれぞれの長手方向端部の背面を前記ランナーの装着フレーム部の幅方向の側面に密着させた後、垂直方向に固定させるステップと、（ｃ）巾木受けのランナー結合片を前記ランナーの巾木受け結合溝に挿入させ、モールディング部材の巾木受け結合部が前記巾木受けのモールディング結合溝に挿入されて、前記モールディング部材と結合された前記巾木受けを前記ランナーの幅方向の両側に結合させるステップと、（ｄ）弾性結合部材の突出部を前記スタッドの結合溝に挿入させて、内側面の左右側の両端部に前記弾性結合部材が垂直方向に延長されるように、結合固定された仕上げパネルを前記複数のスタッドの前面部に設置するステップと、（ｅ）前記仕上げパネルの開口部にＴＶ、コンピュータ、平板表示装置、冷暖房機、加湿器、空気清浄機のような家電製品や電気コンセントを設置するステップと、（ｆ）前記ランナー中央部の装着フレーム部の上面部に形成された貫通孔を介して、絶縁電線を前記装着フレーム部の幅方向の両側面に固定される前記スタッドの背面間の空間と前記装着フレーム部の内部空間とへ通過させて、電力供給のために前記家電製品又は前記コンセントに電気的に接続させるステップと、を含み、前記（ｄ）ステップは、（ｄ１）前記仕上げパネルの間の上端部及び下端部において、前記弾性結合部材のパネル側部の仕上げ羽根部により仕上げされない部分にガッパーを圧着されるように設置して、前記仕上げパネルの間の隙間を埋めて仕上げするステップと、をさらに含むことを特徴とする。
【００１７】
ここで、（ｇ）前記複数のスタッドに結合された前記仕上げパネルが成す壁体の側端部をコラム組み立て体の一側に結合させて、前記壁体が互いに隣接して角を成すか、又は互いに交差されるようにするステップと、をさらに含むことを特徴とすることができる。
【００１８】
ここで、（ｇ）前記複数のスタッドに結合された前記仕上げパネルが成す壁体の側端部にエンドコラム部材を結合させて、前記壁体の側端部を仕上げするステップと、をさらに含むことを特徴とすることができる。
【発明の効果】
【００１９】
本発明によるインテリア用組み立て式壁体及びその施工方法によると、ネジの使用を最小化して壁体の設置・解除及び再組立てが容易になる効果が得られる。
【００２０】
また、設置や解除の作業を小数の人員が一度にでき、人件費が低減され、工期が短縮される効果が得られる。
【００２１】
また、巾木受け部の下部に結合設置されるモールディング部材により別途のシリコン仕上げ処理が不必要になる効果が得られる。
【００２２】
また、第１、２コーナーコラム部材及びエッジコラム部材を組み合わせて壁体が折れるか、又は交差されるように自由に構成でき、壁体が直交せずに直角で多少ずれた交差角を有する場合にも、無理せずに設置可能になる効果が得られる。
【００２３】
また、ランナーの両側に設置されるスタッドの背面間の空間に遮音材を設置して、優れた遮音性能を得られる効果を奏する。
【００２４】
また、必要な場合、ランナー中央部の装着フレーム部の上面部に穿孔し、絶縁電線を通過させて、仕上げパネルに設置される電子製品や家電製品などの稼働に必要な電気配線を容易にできるようになる効果が得られる。
【００２５】
また、ＴＶ、コンピュータ、平板表示装置、加湿器、空気清浄機などの多様な電子製品を、仕上げパネルの開口部に設置したり仕上げパネルの必要な位置に電気コンセントを設置したりして、便利に使用できるようになる効果が得られる。
【図面の簡単な説明】
【００２６】
【図１】天井と床面に設置されたランナーにスタッドが設置固定された状態を示した斜視図。
【図２】ランナーを示した断面図。
【図３】スタッドを上側から見た平面図。
【図４】床面に設置されたランナーの幅方向の両側にスタッドが固定された状態を示した側断面図。
【図５】弾性結合部材を示した断面図。
【図６】内側面の左右側の両端部に弾性結合部材が固定された仕上げパネルを上側から見た断面図。
【図７】弾性結合部材が固定された複数の仕上げパネルが複数のスタッドに結合された状態を上側から見た断面図。
【図８】巾木受け及びモールディングを示した側断面図。
【図９】ランナー、スタッド、仕上げパネル、弾性結合部材、巾木受け及びモールディング部材が結合された状態を示した側断面図。
【図１０】ガッパーを示した断面図。
【図１１】複数の仕上げパネルの間にガッパーが圧着されるように設置された状態を示した組み立て式壁体の正面図。
【図１２】仕上げパネルの開口部に電子製品が設置された状態を示した斜視図。
【図１３】コラム組み立て体と第１コラム部材、エッジコラム部材及び第２コラム部材を上側から見た断面図。
【図１４】コラム組み立て体及びエンドコラム部材により壁体が折り曲がって仕上げされた状態を上側から見た断面図。
【発明を実施するための形態】
【００２７】
本発明の一つの態様により、建築物の室内空間を区画する組み立て式壁体であって、天井と床面に対向して設置されるランナーと、前記ランナーの幅方向の両側に垂直方向に設置固定される複数のスタッドと、前記複数のスタッドに結合される仕上げパネルと、を含み、前記複数のスタッドには、それぞれに長手方向に平行に延長されて形成される一対の結合溝が備えられ、前記仕上げパネルには、内側面の左右側の両端部に、垂直方向に延長されるように結合固定される一対の弾性結合部材が備えられ、前記一対の結合溝のそれぞれの左側内面と右側内面には、一つ以上の係止顎が長手方向に延長されるように形成され、前記一対の弾性結合部材のそれぞれは、前記仕上げパネルの内側面に密着される接触部と、前記接触部から内側方向に突出されて長手方向に延長されるように形成される突出部と、を含み、前記突出部には、中央部に長手方向に凹むように形成される分離溝が形成されて前記分離溝の左右側に左側結合片と右側結合片が形成され、前記左側結合片の左側面と前記右側結合片の右側面には、前記一つ以上の係止顎に係止されるように一つ以上の結合突起が長手方向に延長されるように形成され、前記一対の弾性結合部材のそれぞれは、前記仕上げパネルの側面部を囲むように、前記接触部の一側端部から折り曲がって長手方向に延長されるように形成されるパネル側部仕上げ羽根部と、をさらに含み、前記仕上げパネルは、前記弾性結合部材の前記突出部を前記結合溝に挿入して結合させることにより、前記複数のスタッドの前面部に設置されることを特徴とする、インテリア用組み立て式壁体が提案される。
【００２８】
以下、本発明の好ましい実施例を添付された図面を参考にして詳細に説明すれば、以下の通りであり、本発明が実施例によって制限されたり限定されたりするのではない。
【００２９】
以下では、本発明の好ましい実施例による組み立て式壁体の構成を説明するようにする。
【００３０】
図１は、天井と床面に設置されたランナーにスタッドが設置固定された状態を示した斜視図であり、図４は、床面に設置されたランナーの幅方向の両側にスタッドが固定された状態を示した側断面図であり、図６は、内側面の左右側の両端部に弾性結合部材が固定された仕上げパネルを上側から見た断面図であり、図７は、弾性結合部材が固定された複数の仕上げパネルが、複数のスタッドに結合された状態を上側から見た断面図であり、図９は、ランナー、スタッド、仕上げパネル、弾性結合部材、巾木受け及びモールディング部材が結合された状態を示した側断面図であり、図１２は、仕上げパネルの開口部に電子製品が設置された状態を示した斜視図である。
【００３１】
本発明によるインテリア用組み立て式壁体は、天井と床面に対向して設置されるランナー１０と、ランナー１０の幅方向の両側に垂直方向に設置固定される複数のスタッド２０、そして複数のスタッド２０に結合される仕上げパネル３０を含めて構成され、建築物の室内空間を区画するために使用されるものである。
【００３２】
ランナー１０とスタッド２０は、本発明による組み立て式壁体を支持する骨格を成す構成要素である。
【００３３】
そして、仕上げパネル３０は、本発明によるインテリア用組み立て式壁体の側面部の大部分を成す平板型部材として、ランナー１０の両側に固定された複数のスタッド２０の前面部に設置される。
【００３４】
このような仕上げパネル３０は、多様なサイズで製作されることができ、一例として、幅１２２０ｍｍ、長さ２４４０ｍｍのＭＤＦパネル又はフォームボードを使用でき、仕上げパネル３０の外表面には、様々な色や柄を有するフィルムなどを被せて着せるラッピング処理ができる。なお、仕上げパネル３０は、開口部３５に設置される電子製品などのサイズにより充分な幅を有するように製作されることができる。
【００３５】
図６及び図７に示されたように、仕上げパネル３０の内側面（図６及び図７において、仕上げパネルの上側面）の左右側の両端部には、一対の弾性結合部材３１が垂直方向に延長されるように結合固定される。
【００３６】
仕上げパネル３０は、このような一対の弾性結合部材３１を媒介として複数のスタッド２０に結合設置されるようになる。
【００３７】
弾性結合部材３１については、以後に再度説明するようにする。
【００３８】
以下では、ランナー１０をより詳細に説明するようにする。図２は、ランナーを示した断面図である。
【００３９】
ランナー１０は、組み立て式壁体を乾式工法で設置する場合、スタッド２０の上・下端部を固定するために天井及び床面に対向して設置固定される部材として、ベース部１１及び装着フレーム部１２を含む。
【００４０】
ベース部１１は、天井又は床面に密着されてネジなどによって固定される部分であって、一定の幅で充分に長く形成される。
【００４１】
そして、ベース部１１が、天井又は床面に密着される部分の反対側面の中央部には、スタッド２０の上端部又は下端部がその側面に結合固定される装着フレーム部１２が突出されて長手方向に延長されるように形成される。
【００４２】
本実施例において、装着フレーム部１２は、全体的に中空の四角柱状で形成されているが、本発明は、必ずこれに限定されず、装着フレーム部１２の内部には、長手方向に空いた空間が形成され、装着フレーム部１２の両側面は、互いに平行に形成されなければならないが、上面は傾斜するか、又は曲面形状などの多様な形状で形成されることもでき、図９に示されたように、装着フレーム部１２の上面部には、仕上げパネル３０の開口部３５に設置される電子製品などに電力を供給するための絶縁電線を通過させるための貫通孔１２５が形成されることができる。
【００４３】
このような装着フレーム部１２は、両側面に固定されるスタッド２０の間に装着フレーム部１２のような幅の離隔された空間が形成されるようにするところ、スタッド２０の間の空間に遮音材を設置して壁体の遮音性能を向上させるか、又は仕上げパネル３０の開口部３５に設置される電子製品などに電力を供給するための絶縁電線などを通過させるようにする機能をする。従って、要求される遮音性能又は仕上げパネル３０の開口部３５に設置される電子製品などのサイズに応じて装着フレーム部１２の幅を適切に設計することにより、多様な要求条件に対応できるようになる。
【００４４】
ベース部１１及び装着フレーム部１２が会う部分には、装着フレーム部１２の幅方向の両側面に固定される複数のスタッド２０のそれぞれの長手方向端部が係止されるように突出されるスタッド係止顎（図示せず）が、長手方向に延長されるように形成されることもできる。
【００４５】
図９に示されたように、ランナー１０は、装着フレーム部１２が形成された部分の両側において、ベース部１１をネジなどによって天井又は床面に密着固定させる方式で設置されるところ、ネジの頭部がベース部１１から突出されるようになるが、スタッドの係止顎は、ネジの頭部より高く突出されるように形成されてスタッド２０の端部を装着フレーム部１２の側面に密着させる時、スタッド２０の端部がネジの頭部に係止されないようにし、スタッド２０が一定の位置に結合されるようにする機能をするようになる。
【００４６】
一方、スタッドの係止顎が備えられない場合であっても、ベース部１１を天井又は床面に密着固定させるネジをベース部１１の幅方向の両側に設置固定される複数のスタッド２０の間に設置すると、ネジの頭部とスタッド２０の端部との間の干渉が生じられないようにできる。
【００４７】
そして、ベース部１１の幅方向の両端部には、後述される巾木受け４０のランナー結合片４１０が挿入結合されるための巾木受け結合溝１１０が長手方向に延長されるように形成される。
【００４８】
このような構成を有するランナー１０は、多様な素材として製作されることができるが、一般的には、加工性がよく、軽いアルミニウム又はアルミニウム合金素材で製作するのが好ましく、建築物の室内空間を区画するために定められた位置の天井と床面に対向するように設置されるようになる。
【００４９】
以下では、スタッド２０をより詳細に説明するようにする。
【００５０】
図３は、スタッドを上側から見た平面図である。
【００５１】
スタッド２０は、長手方向の両端部が天井及び床面に設置固定されたランナー１０に結合固定されて、仕上げパネル３０が結合されるための骨格となる構成要素であって、図１及び図４に示されたように、天井及び床面に設置固定されるランナー１０の装着フレーム部１２の幅方向の両側面に密着されてネジなどにより結合固定される。
【００５２】
図３に示されたように、スタッド２０には、弾性結合部材３１の突出部３１２が挿入されて結合されるための一対の結合溝２１が備えられ、このような一対の結合２１は、スタッド２０の前面部（図３においてスタッドの下側面）に長手方向に平行に延長されて形成される。
【００５３】
一対の結合溝２１の左側内面と右側内面には、一つ以上の係止顎２１００が長手方向に延長されるように形成される。
【００５４】
一方、スタッド２０は、幅に比して長さが相対的に長い形状を有するところ、垂直方向に設置固定されるスタッド２０の横方向の強度が足りない可能性があるので、垂直方向に設置された複数のスタッド２０の間に、適切な補強部材（図示せず）を水平方向に設置固定してスタッド２０の横方向の強度を補強することもできる。
【００５５】
このような構成を有するスタッド２０は、多様な素材で製作されることができるが、一般的には加工性がよく、軽いアルミニウム又はアルミニウム合金素材で製作するのが好ましい。
【００５６】
以下では、弾性結合部材３１をより詳細に説明するようにする。図５は、弾性結合部材を示した断面図である。
【００５７】
弾性結合部材３１は、仕上げパネル３０の内側面の左右側の両端部に垂直方向に延長されるように結合固定されてスタッド２０の結合溝２１に挿入されることにより、仕上げパネル３０を複数のスタッド２０に結合させる構成要素として、接触部３１１及び突出部３１２を含めて構成される。
【００５８】
接触部３１１は、仕上げパネル３０の内側面に密着される部分であり、突出部３１２は、スタッド２０の結合溝２１に挿入結合される部分であって、接触部３１１から内側（図５において上側）方向に突出されて長手方向に延長されるように形成される。
【００５９】
図５に示されたように、突出部３１２には、中央部に長手方向に凹むように形成される分離溝３１２ａが形成されて、分離溝３１２ａの左右側に左側結合片３１２ｂと右側結合片３１２ｃとが形成される。
【００６０】
分離溝３１２ａは、大略的に四角形の断面を有するように形成され、分離溝３１２ａの左・右側面は、互いに平行に形成されることもできるが、左側結合片３１２ｂ及び右側結合片３１２ｃの弾性低下による復元力の低下防止のために、外側に約２乃至５°傾けて形成されるのが好ましい。
【００６１】
そして、左側結合片３１２ｂの左側面と右側結合片３１２ｃの右側面には、係止顎２１００に係止されるように一つ以上の結合突起３１２０が長手方向に延長されるように形成される。
【００６２】
図７に示されていないが、互いに係止されるスタッド２０の係止顎２１００と弾性結合部材３１の結合突起３１２０は、突出部３１２が結合溝２１に挿入されるのは容易であるが、突出部３１２が結合溝２１から分離されるには、難しくなるように一方向に傾けて形成されるのが好ましい。
【００６３】
なお、弾性結合部材３１には、仕上げパネル３０の側面部を囲むためのパネル側部の仕上げ羽根部３１３がさらに含まれることができる。このようなパネル側部の仕上げ羽根部３１３は、弾性結合部材３１が仕上げパネル３０内側面の左右側の両端部に結合固定される場合、仕上げパネル３０の側面部を囲むように接触部３１１の一側端部から折り曲がって長手方向に延長されるように形成される。
【００６４】
従って、弾性結合部材３１が結合固定された複数の仕上げパネル３０が、複数のスタッド２０に連続的に結合される場合、図７に示されたように、互いに隣接した仕上げパネル３０の間には、パネル側部仕上げ羽根部３１３が互いに接して密着されるようになる。
【００６５】
このような弾性結合部材３１は、充分な弾性を有する合成樹脂などで製作されることができ、一例として、硬度５．５のゴム素材で製作されることができる。
【００６６】
弾性結合部材３１は、分離溝３１２ａの下面部にネジやネイラー（ｎａｉｌｅｒ）などが使用されることによって、仕上げパネル３０の内側面に固定されるようになる。
【００６７】
但し、弾性結合部材３１の長さは、仕上げパネル３０の長さより少し短く形成されて仕上げパネル３０に固定されることにより、図９に示されたように、後述される巾木受け４０の上部が仕上げパネル３０の下部内側に位置されるようにするのが好ましい。
【００６８】
一方、図６に示されたように、弾性結合部材３１は、左側結合片３１２ｂ及び右側結合片３１２ｃの弾性低下による復元力の低下を防止するための弾性片３２が、分離溝３１２ａに挿入された状態でネジやネイラーなどによって弾性片３２とともに、仕上げパネル３０の内側面に固定されることができる。
【００６９】
弾性片３２は、ばね鋼のように高い弾性を有する金属素材などで「Ｕ」形状の断面で長手方向に延長されるように形成されることができるが、本発明は、必ずこれに限定されず、左側結合片３１２ｂ及び右側結合片３１２ｃの弾性低下による復元力の低下を防止できる多様な断面形状で形成されることができる。
【００７０】
本発明によるインテリア用組み立て壁体は、ガッパー（ｇａｐｐｅｒ）８０をさらに含むことができる。
【００７１】
図１０は、ガッパーを示した断面図であり、図１１は、複数の仕上げパネルの間にガッパーが圧着されるように設置された状態を示した組み立て式壁体の正面図である。
【００７２】
ガッパー８０は、本発明による組み立て式壁体の側面部を成す複数の仕上げパネル３０の間に圧着されるように設置されて、互いに隣接した仕上げパネル３０の間を防いで仕上げする機能をする構成要素として、一対のパネル側部圧着片８１と中央連結部８２と、を含めて構成される。
【００７３】
基本的に、弾性結合部材３１の結合固定された複数の仕上げパネル３０が、複数のスタッド２０に連続的に結合されると、互いに隣接した仕上げパネル３０の間は、パネル側部の仕上げ羽根部３１３が互いに接して密着されるようになるところ、隙間（ｇａｐ）が埋められながら、仕上げするようになる（図７参照）。
【００７４】
しかしながら、上記したように、弾性結合部材３１の長さは、仕上げパネルの長さより少し短く形成されて仕上げパネル３０に固定されるところ、互いに隣接した仕上げパネル３０の間の上端部及び下端部には、パネル側部仕上げ羽根部３１３によって仕上げされない部分が存在することになり、ガッパー８０は、このような仕上げされない隙間を埋めて仕上げするために使用される。
【００７５】
一対のパネル側部圧着片８１は、それぞれ仕上げパネル３０の側面部に接するようになる部分であって、大略的に平板状で長手方向に延長されるように形成され、ガッパー８０が変形されない状態で中央連結部８２を中心として、約４乃至１０°の角度を有するように形成されるのが好ましい。
【００７６】
中央連結部８２は、一対のパネル側部圧着片８１の端部を連結させる部分であって、互いに隣接した仕上げパネル３０の間にガッパー８０を設置する過程において、一対のパネル側部圧着片８１は、それぞれ仕上げパネル３０の側面部により中央連結部８２を中心として、中央に集まって圧着するようになる（図１１参照）。
【００７７】
図１０には、中央連結部８２が、一対のパネル側部圧着片８１の厚さの和よりももっと広い幅を有する形状で示されているが、中央連結部８２は、必ずこのように外的に区別される形状を有するように形成されない可能性もあり、一対のパネル側部圧着片８１を充分な強度で連結させることができる限り、多様な形状で（外的には、パネル側部圧着片と区分されないように）製作されることができる。
【００７８】
このようなガッパー８０は、充分な長さを有するように製作された後、互いに隣接した仕上げパネル３０の間の上端部及び下端部において、パネル側部仕上げ羽根部３１３により仕上げされない部分の長さと同じ長さで切断されて、互いに隣接した仕上げパネル３０の間に圧着されるように設置される。
【００７９】
そして、ガッパー８０は、充分な弾性を有する合成樹脂などで製作されることができ、一例として、硬度５.５のゴム素材で製作されることができる。
【００８０】
本発明によるインテリア用組み立て式壁体は、巾木受け４０及びモールディング部材５０をさらに含むことができる。
【００８１】
図８は、巾木受け及びモールディング部材を示した側断面図である。
【００８２】
巾木受け４０は、天井又は床面から仕上げパネル３０が設置された位置までの部位を閉塞する機能をする構成要素として（図１２参照）、ランナー結合片４１０及びモールディング結合溝４２０を含めて構成され、全体的に長い長方形の板状で形成される。
【００８３】
ランナー結合片４１０は、ランナー１０の巾木受け結合溝１１０に挿入されて、巾木受け４０がランナー１０の幅方向の両側に結合されるようにする部分であって、巾木受け４０の天井又は床面に隣接した方向（図８において下側方向）端部から内側（図８において左側方向）に折り曲がって長手方向に延長されるように形成される。
【００８４】
モールディング結合溝４２０は、後述されるモールディング部材５０の巾木受け結合部５１０が挿入されて結合される部分であって、巾木受け４０の天井又は床面に隣接した方向（図８において下側方向）の端部に長手方向に延長されるように形成される。
【００８５】
図８には、モールディング結合溝４２０が、巾木受け４０の天井又は床面に隣接した方向の端部に下側方向へ開放された形状で示されているが、本発明は、必ずこれに限定されず、モールディング結合溝４２０は、巾木受け４０の天井又は床面に隣接した方向の端部に外側方向（図８において右側方向）に開放された形状で形成されることもできる。この場合、モールディング部材５０の巾木受け結合部５１０も対応される端面形状を有するように形成されるようになる。
【００８６】
このようなモールディング結合溝４２０は、ダブテール（ｄｏｖｅｔａｉｌ）状又は「Ｔ」字形の断面で形成されて対応される断面形状を有するように形成される巾木受け結合部５１０がモールディング結合溝４２０に挿入された後、容易に分離されないようにするのが好ましい。
【００８７】
巾木受け４０は、多様な素材で製作されることができるが、一般的には、加工性がよく、軽いアルミニウム又はアルミニウム合金素材で製作するのが好ましい。
【００８８】
モールディング部材５０は、巾木受け４０の一端部と天井又は床面との間をカバーする機能をする構成要素として、巾木受け結合部５１０及び角仕上げ部５２０を含めて構成される。
【００８９】
巾木受け結合部５１０は、巾木受け４０のモールディング結合溝４２０に挿入されて、モールディング部材５０が巾木受け４０の一側に結合されるようにする部分であって、モールディング部材５０の一側にダブテール状又は「Ｔ」字形の断面形状で長手方向に延長されるように形成される。
【００９０】
角仕上げ部５２０は、巾木受け４０の設置時、巾木受け４０の一端部と天井又は床面との間の角部をシリコン仕上げ処理したようにカバーするようになる部分であって、巾木受け結合部５１０の一端部から傾斜して形成される。
【００９１】
そして、巾木受け４０をランナー１０に結合させる場合、天井又は床面により確実に接触するように、角仕上げ部５２０は、４０°より垂直方向にもっと近く傾斜するように形成されるのが好ましい。
【００９２】
従って、モールディング部材５０が結合された巾木受け４０を天井又は床面に固定されたランナー１０の幅方向の両側に設置する場合、角仕上げ部５２０の幅方向の一側は巾木受け４０の一端部に接触し、他側は天井又は床面に接触するようになる。
【００９３】
このようなモールディング部材５０は、充分な弾性と柔軟性を有する合成樹脂などで製作されることができ、硬度が低いゴム素材で製作されるのが好ましい。
【００９４】
本発明によるインテリア用組み立て式壁体は、コラム組み立て体６０をさらに含むことができる。
【００９５】
図１３は、コラム組み立て体と第１コラム部材、エッジコラム部材及び第２コラム部材を上側から見た断面図であり、図１４は、コラム組み立て体及びエンドコラム部材により壁体が折り曲がって仕上げされた状態を上側から見た断面図である。
【００９６】
コラム組み立て体６０は、複数のスタッド２０に結合された仕上げパネル３０が成す壁体が、互いに隣接して角を構成するか、又は交差されるようにする構成要素であって、第１コラム部材６１、エッジコラム部材６２及び第２コラム部材６３中の少なくとも一つ以上の結合で構成される。
【００９７】
第１コラム部材６１は、複数のスタッド２０に結合された仕上げパネル３０が成す壁体が、互いに隣接して構成する角の内側において仕上げパネル３０の一側に結合される部材であって、図１１に示されたように、内側エッジ（ｅｄｇｅ）の両側に長手方向に延長されて形成される第１係止顎６１１及び第１係止顎６１１の外側に長手方向に延長されて形成される第１結合溝６１５を含めて構成される。
【００９８】
第１係止顎６１１は、壁体を成す仕上げパネル３０の一側が係止される部分であり、その外側の第１結合溝６１５は、仕上げパネル３０に結合固定された弾性結合部材３１の突出部３１２が挿入されて結合されるように形成される部分である。
【００９９】
そして、第１結合溝６１５の両側の内側面には、一つ以上の係止顎が長手方向に延長されるように形成されるところ、突出部３１２の挿入時、左側結合片３１２ｂの左側面と右側結合片３１２ｃの右側面に形成された一つ以上の結合突起３１２０が第１結合溝６１５の内側面の一つ以上の係止顎に係止されるようになる。
【０１００】
第２コラム部材６３は、幅方向の一側は、壁体を成す仕上げパネル３０の一側と結合され、他側は後述されるエッジコラム部材６２の幅方向の一側に結合される部材であって、幅方向の一側に長手方向に延長されて形成される第２結合溝６３５及び第２結合溝６３５の一側に長手方向に延長されて形成される第２係止顎６３１と、を含めて構成される。
【０１０１】
第２係止顎６３１は、壁体を成す仕上げパネル３０の一側が係止される部分であり、その外側の第２結合溝６３５は、仕上げパネル３０に結合固定された弾性結合部材３１の突出部３１２が挿入されて結合されるように形成される部分である。
【０１０２】
そして、第２結合溝６３５の両側の内側面には、一つ以上の係止顎が長手方向に延長されるように形成されるところ、突出部３１２の挿入時、左側結合片３１２ｂの左側面と右側結合片３１２ｃの右側面に形成された一つ以上の結合突起３１２０が第２結合溝６３５の内側面の一つ以上の係止顎に係止されるようになる。
【０１０３】
なお、エッジコラム部材６２の幅方向の一側と結合される第２コラム部材６３の幅方向の他側には、結合片をダブテール状又は「Ｔ」字形の断面で長手方向に延長されるように形成させて、エッジコラム部材６２の幅方向の両側端に対応される断面形状を有するように形成される結合溝に挿入された後、容易に分離されないようにするのが好ましい。
【０１０４】
エッジコラム部材６２は、壁体が互いに隣接して構成する角の外側エッジを成す部材であって、大略的に逆Ｌ字形の断面形状を有して長手方向に延長されるように形成され、幅方向の両側には、それぞれ第２コラム部材６３の幅方向の他側の結合片が挿入されて結合される結合溝が、ダブテール状又は「Ｔ」字形の断面で長手方向に延長されるように形成する。
【０１０５】
但し、上記では、第２コラム部材６３の幅方向の他側には結合片が形成され、エッジコラム部材６２の幅方向の両側には結合溝が形成されると説明したが、本発明は、必ずこれに限定されず、第２コラム部材６３の幅方向の他側に結合溝が形成されることもでき、エッジコラム部材６２の幅方向の両側に結合片が形成されることもでき、エッジコラム部材６２の幅方向の一側には結合溝が形成され、他側には結合片が形成されることもできる。
【０１０６】
一つの第１コラム部材６１と二つの第２コラム部材６３、及び一つのエッジコラム部材６２を組み合わせてコラム組み立て体６０を構成する場合は、図１４に示されたように、壁体が逆Ｌ字形で折り曲がる角を構成できる。
【０１０７】
そして、二つの第１コラム部材６１と二つの第２コラム部材６３を組み合わせてコラム組み立て体６０を構成する場合は、壁体が「Ｔ」字形で交差されるように構成でき、四つの第１コラム部材６１を組み合わせてコラム組み立て体６０を構成する場合は、壁体が「＋」状で交差されるように構成できるようになる。
【０１０８】
ここで、壁体が「Ｔ」字形で交差されるように構成する場合、二つの第２コラム部材６３中の一つの第２コラム部材６３の幅方向の他側に形成された結合片が、他の第２コラム部材６３の幅方向の他側に形成された結合溝に挿入されて結合されるようになる。
【０１０９】
上記したように、コラム組み立て体６０を、第１コラム部材６１、エッジコラム部材６２及び第２コラム部材６３中の少なくとも一つ以上の結合で構成することにより、壁体が折れるか、又は交差されるように自由に構成でき、壁体が直交せずに直角において多少ずれた交差角を有する場合にも、無理せずに設置が可能になる利点を有することになる。
【０１１０】
本発明によるインテリア用組み立て式壁体は、エンドコラム部材７０をさらに含むことができる。
【０１１１】
図１４に示されたように、エンドコラム部材７０は、複数のスタッド２０に結合された仕上げパネル３０が成す壁体の側端部に結合されて、壁体の端部を仕上げする部材であって、大略的に逆Ｌ字形の断面形状を有して長手方向に延長されるように形成され、幅方向の一側の内面には、弾性結合部材３１が結合固定される。従って、弾性結合部材３１の突出部３１２がスタッド２０の結合溝２１に挿入されることにより、エンドコラム部材７０がスタッド２０に結合されるようになる。
【０１１２】
そして、幅方向の他側端部には、結合片又は結合溝が形成されて、他のエンドコラム部材７０の幅方向の一側端に形成される結合溝又は結合片と結合されるようになる。この時、結合片又は結合溝は、ダブテール状又は「Ｔ」字形の端面で長手方向に延長されるように形成され、互いに結合された後、容易に分離されないようにするのが好ましい。
【０１１３】
以下では、本発明によるインテリア用組み立て式壁体の施工過程を説明するようにする。
【０１１４】
先ず、ランナー１０を設計仕様に基づいて定められた位置の天井又は床面に相互対向されるように設置する。即ち、天井又は床面に基準線を表示し、表示された基準線に合わせてランナー１０を天井又は床面に密着させた後、装着フレーム部１２が形成された部分の両側において、ベース部１１をネジなどによって固定させるようになる。
【０１１５】
そして、天井及び床面にそれぞれ固定されたランナー１０の間に複数のスタッド２０を固定させる。即ち、複数のスタッド２０のそれぞれの長手方向端部の背面をランナー１０の装着フレーム部１２の幅方向の側面に密着させた後、ネジなどを用いて垂直方向に固定させるようになる。
【０１１６】
その後に、モールディング部材５の巾木受け結合部５１０が、巾木受け４０のモールディング結合溝４２０に挿入されて、モールディング部材５０と結合された巾木受け４０をランナー１０の幅方向の両側に結合させる。即ち、巾木受け４０のランナー結合片４１０をランナー１０の巾木受け結合溝１１０に挿入させて、巾木受け４０をランナー１０の幅方向の両側に結合させることにより、モールディング部材５０と結合された巾木受け４０を天井及び床面の近くに設置し、モールディング部材５０の角仕上げ部５２０を天井及び床面に接触させるようになる。
【０１１７】
その次に、内側面の左右側の両端部に弾性結合部材３１が、垂直方向に結合固定された仕上げパネル３０を複数のスタッド２０の全面部に結合させる。即ち、仕上げパネル３０の両側端に固定された弾性結合部材３１の突出部３１２を複数のスタッド２０の結合溝２１に挿入させて、仕上げパネル３０を複数のスタッド２０の前面部に結合させることにより、本発明によるインテリア用組み立て式壁体の側面部を完成させるようになる。
【０１１８】
この時、仕上げパネル３０の内側面の左右側の両端部に結合固定される弾性結合部材３１の長さは、仕上げパネル３０の長さより少し短く形成されるところ、仕上げパネル３０を複数のスタッド２０の前面部に結合させる過程において、仕上げパネル３０の内側面の左右側の両端部に結合固定された弾性結合部材３１の下端部が仕上げパネル３０の下部内側に位置された巾木受け４０の上部によって支持されて、仕上げパネル３０が垂直方向に設置されたスタッド２０の長手方向の下側へ滑り下ろすのが防止されるようになる。
【０１１９】
一方、予め準備された仕上げパネル３０の長さが、室内空間の高さより短くて、複数の仕上げパネル３０を複数のスタッド２０の前面部に結合させるようになる場合には、下側に設置された仕上げパネル３０の上側に他の仕上げパネル３０が設置されて、上側の仕上げパネル３０が下側の仕上げパネル３０によって支持されるようになる。
【０１２０】
そして、互いに隣接した仕上げパネル３０の間の上端部及び下端部において、パネル側部仕上げ羽根部３１３により仕上げされない部分にガッパー８０を圧着されるように設置する過程が追加で含まれることができる。
【０１２１】
このようなガッパー８０の設置ステップにより、互いに隣接した仕上げパネル３０の間の隙間（ｇａｐ）がもれなく埋められながら、仕上げされるようになる。
【０１２２】
一方、この過程において、壁体の側面部に家電製品や電気コンセントなどを設置する必要がある場合には、これを設置する過程が追加で含まれることができる。
【０１２３】
まず、仕上げパネル３０の開口部３５にＴＶ、コンピュータ、平板表示装置、冷暖房器、加湿器、空気清浄機などの家電製品や電気コンセントなどを設置する。
【０１２４】
その次に、電力供給のために家電製品や電気コンセントなどに絶縁電線を電気的に接続させる。即ち、ランナー１０の中央部の装着フレーム部１２の上面部に形成された貫通孔１２５を介して、絶縁電線を装着フレーム部１２の幅方向の両側面に固定されるスタッド２０の背面間の空間と装着フレーム部１２の内部空間とへ通過させて、絶縁電線を家電製品又は電気コンセントなどに電気的に接続させるようになる。
【０１２５】
上記においては、仕上げパネル３０の開口部３５に、家電製品や電気コンセントなどを設置した後、絶縁電線を家電製品又は電気コンセントなどに電気的に接続させると説明したが、貫通孔１２５を介して絶縁電線を装着フレーム部１２の幅方向の両側面に固定されるスタッド２０の背面間の空間と装着フレーム部１２の内部空間とへ通過させた後に、仕上げパネル３０の開口部３５に家電製品や電気コンセントなどを設置し、絶縁電線と家電製品又は電気コンセントを電気的に接続させることもできる。
【０１２６】
一方、建築物の室内空間を区画するために、壁体が互いに隣接して角を構成するようにするか、又は互いに交差されるようにする必要がある場合、第１コラム部材６１、エッジコラム部材６２及び第２コラム部材６３中の少なくとも一つ以上を結合させて構成したコラム組み立て体６０を壁体の側端部に結合させるようになる。即ち、壁体を成す仕上げパネル３０の側端部に固定された弾性結合部材３１の突出部３１２を第１結合溝６１５又は第２結合溝６３５に挿入させて、コラム組み立て体６０に結合させることにより、壁体が互いに隣接して角を構成するようにするか、又は互いに交差させるようになる。
【０１２７】
そして、壁体の端部を仕上げする必要がある場合、エンドコラム部材７０を仕上げパネル３０が成す壁体の側端部に結合させるようになる。即ち、エンドコラム部材７０の幅方向の一側の内面に結合固定された弾性結合部材３１の突出部３１２をスタッド２０の結合溝２１に挿入させて結合させることにより、壁体の端部を仕上げさせるようになる。
【０１２８】
上記したような施工過程は、少数の人員により一度に実施されることができる。既存の組み立て式壁体の場合、単純組み立てだけでは完成されることができず、別途に巾木受けの一端部と天井又は床面との間の角部をシリコン仕上げ処理するなどの性格が異なる作業が必要であるところ、全体施工過程が、相異なる人員により処理されなければならない。従って、組み立て作業が完了された後、別の人員が到着して残りの作業を完了するために、追加的な作業日が所要されることになって施工期間が長くなる短所があった。しかし、本発明によるインテリア用組み立て式壁体は、少数の人員により一度に実施されることができるので、人件費が低減され、工期が短縮されることができる。
【０１２９】
本発明によるインテリア用組み立て式壁体は、ネジの使用を最小化して壁体の設置・解除及び再組み立てが容易になる利点がある。
【０１３０】
そして、設置や解除作業を少数の人員が一度にでき、人件費が低減され、工期が短縮される利点がある。
【０１３１】
また、巾木受けの下部に結合設置されるモールディング部材によって別途のシリコン仕上げ処理が不必要となる利点がある。
【０１３２】
また、第１、２コーナーコラム部材及びエッジコラム部材を組み合わせて壁体が折れるか、又は交差されるように自由に構成でき、壁体が直交せずに直角において多少ずれた交差角を有する場合にも、無理せずに設置可能になる利点がある。
【０１３３】
また、ランナーの両側に設置されるスタッドの背面間の空間に遮音材を設置して優れた遮音性能を得られる利点がある。
【０１３４】
また、必要な場合、ランナー中央部の装着フレーム部の上面部に穿孔し、絶縁電線を通過させて、仕上げパネルに設置される電子製品や家電製品などの稼働に必要な電気配線を容易にできるようになる利点がある。
【０１３５】
そして、ＴＶ、コンピュータ、平板表示装置、加湿器、空気清浄機などの多様な電子製品を仕上げパネルの開口部に設置したり仕上げパネルの必要な位置に電気コンセントを設置したりして、便利に使用できるようになる利点がある。
【０１３６】
以上、本発明を上記実施例により具体的に説明したが、本発明は、上記実施例に限定されるものではなく、本発明の思想及び範囲を逸脱しない範囲で様々な修正及び変形可能なことは勿論である。従って、そのような変形例又は修正例は、本発明の権利範囲に含まれるものと解釈されるべきである。
【産業上の利用可能性】
【０１３７】
本発明は、インテリア用の組み立て式壁体及びその施工方法に関するものであって、ネジの使用を最小化して壁体の設置・解除及び再組み立てが容易で、設置や解除作業を少数の人員が一度にでき、人件費が低減され、工期を短縮させることができるようになり、組み立て式壁体の製造業分野において活用されることができる。
【符号の説明】
【０１３８】
１０：ランナー
１１：ベース部、１１０：巾木受け結合溝
１２：装着フレーム部、１２５：貫通孔
２０：スタッド
２１：結合溝、２１００：係止顎
３０：仕上げパネル
３１：弾性結合部材
３１１：接触部
３１２：突出部
３１２ａ：分離溝、３１２ｂ：左側結合片
３１２ｃ：右側結合片、３１２０：結合突起
３１３：パネル側部仕上げ羽根部
３２：弾性片、３５：開口部
４０：巾木受け
４１０：ランナー結合片、４２０：モールディング結合溝
５０：モールディング部材
５１０： 巾木受け結合部、５２０：角仕上げ部
６０：コラム組み立て体
６１：第１コラム部材
６１１：第１係止顎、６１５：第１結合溝
６２：エッジコラム部材
６３：第２コラム部材
６３１：第２係止顎、６３５：第２結合溝
７０：エンドコラム部材
８０：ガッパー
８１：パネル側部圧着片、８２：中央連結部
【図１】
2019518890.tif 000003
【図２】
2019518890.tif 000004
【図３】
2019518890.tif 000005
【図４】
2019518890.tif 000006
【図５】
2019518890.tif 000007
【図６】
2019518890.tif 000008
【図７】
2019518890.tif 000009
【図８】
2019518890.tif 000010
【図９】
2019518890.tif 000011
【図１０】
2019518890.tif 000012
【図１１】
2019518890.tif 000013
【図１２】
2019518890.tif 000014
【図１３】
2019518890.tif 000015
【図１４】
2019518890.tif 000016
【国際調査報告】
2019518890.tif 000017
2019518890.tif 000018
2019518890.tif 000019
2019518890.tif 000020